(57)【要約】【課題】周辺機器の非接触給電に係る状態を報知することができる情報処理装置及び周辺機器を提供する。【解決手段】情報処理装置は、通信制御手段と、入力手段と、報知手段と、を備える。前記通信制御手段は、自装置と対応付けられた周辺機器との通信を制御する。前記入力手段は、前記周辺機器から出力された当該周辺機器の機械的な接続のない非接触による非接触給電の状態を示す充電状態情報の入力を受け付ける。前記報知手段は、前記入力手段が前記充電状態情報の入力を受け付けた場合に、前記周辺機器の前記非接触給電の状態を報知する。【選択図】図７
2018029476.tif 000002
【特許請求の範囲】
【請求項１】
自装置と対応付けられた周辺機器との通信を制御する通信制御手段と、
前記周辺機器から出力された当該周辺機器の機械的な接続のない非接触による非接触給電の状態を示す充電状態情報の入力を受け付ける入力手段と、
前記入力手段が前記充電状態情報の入力を受け付けた場合に、前記周辺機器の前記非接触給電の状態を報知する報知手段と、
を備える情報処理装置。
【請求項２】
表示部を更に備え、
前記報知手段は、前記非接触給電により前記周辺機器が受電した電力が閾値より低いことを示す画面を前記表示部に表示することで報知する、
請求項１に記載の情報処理装置。
【請求項３】
前記通信制御手段は、自装置が前記周辺機器を使用しない状態となった場合に、当該周辺機器の前記非接触給電の監視を要求する監視要求情報を出力する、
請求項１または２に記載の情報処理装置。
【請求項４】
前記入力手段は、単位時間当たりの受電電力量を示す情報を有する前記充電状態情報の入力を受け付け、
前記報知手段は、前記受電電力量に応じて報知態様を変える、
請求項１乃至３の何れか１に記載の情報処理装置。
【請求項５】
前記入力手段は、前記充電状態情報を出力する前記周辺機器を識別可能な識別情報を有する前記充電状態情報の入力を受け付け、
前記報知手段は、前記識別情報を報知する、
請求項１乃至４の何れか１に記載の情報処理装置。
【請求項６】
機械的な接続のない非接触による非接触給電により送電された電力を受電する受電部と、
前記受電部を介して、受電した電力を監視する監視手段と、
前記監視手段が監視した電力量を示す情報を含む前記非接触給電の状態を示す充電状態情報を情報処理装置に出力する出力手段と、
を備える周辺機器。
【発明の詳細な説明】
【技術分野】
【０００１】
本発明の実施形態は、情報処理装置及び周辺機器に関する。
【背景技術】
【０００２】
近年、電源ケーブルを使用せずに電力を送る非接触給電システムが登場してきている。非接触給電システムは、パーソナルコンピュータや、ＡＶ（Audio  Visual）機器などに搭載された二次電池に対して、電磁界の共鳴現象等を利用して電力供給を可能にするものである。
【０００３】
また、このような非接触給電システムをＰＯＳ（Point  Of  Sale）システムの周辺機器に導入することが検討されている。ＰＯＳシステムに非接触給電システムを導入した場合、周辺機器は、非接触充電器が充電可能な場所に置かれなければ充電しない。しかしながら、ＰＯＳシステムを使用するオペレータは、急いで商品の売上登録をしなければならないため、周辺機器を充電可能な場所に置かない場合がある。
【発明の概要】
【発明が解決しようとする課題】
【０００４】
本発明が解決しようとする課題は、周辺機器の非接触給電に係る状態を報知することができる情報処理装置及び周辺機器を提供することである。
【課題を解決するための手段】
【０００５】
実施形態の情報処理装置は、通信制御手段と、入力手段と、報知手段と、を備える。前記通信制御手段は、自装置と対応付けられた周辺機器との通信を制御する。前記入力手段は、前記周辺機器から出力された当該周辺機器の機械的な接続のない非接触による非接触給電の状態を示す充電状態情報の入力を受け付ける。前記報知手段は、前記入力手段が前記充電状態情報の入力を受け付けた場合に、前記周辺機器の前記非接触給電の状態を報知する。
【図面の簡単な説明】
【０００６】
【図１】図１は、本実施形態に係るＰＯＳシステムの構成を示す図である。
【図２】図２は、ＰＯＳ端末のハードウェア構成の一例を示すブロック図である。
【図３】図３は、周辺機器のハードウェア構成の一例を示すブロック図である。
【図４】図４は、非接触充電器のハードウェア構成の一例を示すブロック図である。
【図５】図５は、周辺機器の適切な位置への配置の一例を示す説明図である。
【図６】図６は、周辺機器の不適切な位置への配置の一例を示す説明図である。
【図７】図７は、ＰＯＳシステムの機能構成を示す図である。
【図８】図８は、報知画面の一例を示す説明図である。
【図９】図９は、報知処理の流れを示すフローチャートである。
【図１０】図１０は、充電監視処理の流れを示すフローチャートである。
【発明を実施するための形態】
【０００７】
以下、添付図面を参照して、情報処理装置及び周辺機器の実施形態を詳細に説明する。なお、以下に説明する実施形態は、情報処理装置及び周辺機器の一実施形態であって、その構成や仕様等を限定するものではない。本実施形態は、非接触給電システムを、スーパーマーケット等の店舗に導入された、一取引にかかる商品の売上登録・精算を行うＰＯＳ（Point  Of  Sale）システムに適用した例である。
【０００８】
図１は、本実施形態に係るＰＯＳシステム１の構成を示す図である。ＰＯＳシステム１は、ＰＯＳ端末１０と、周辺機器２０ａと、周辺機器２０ｂと、周辺機器２０ｃと、非接触充電器３０ａと、非接触充電器３０ｂと、非接触充電器３０ｃとを備える。
【０００９】
ＰＯＳ端末１０は、商品販売データ処理を実行する情報処理装置である。周辺機器２０ａは、バーコード化された商品コードを光学的に読み取るコードスキャナである。非接触充電器３０ａは、周辺機器２０ａに対して非接触により電力を供給（以下、送電という）する。周辺機器２０ａは、非接触充電器３０ａから非接触により供給された電力を受ける（以下、受電という）。そして、周辺機器２０ａは、受電した電力を充電する。ここで、非接触とは、機械的な接続のないことを意味する。例えば、配線を介して接続されていないことや、コネクタを介して接続されていないことなどを意味する。
【００１０】
周辺機器２０ｂは、レシート用紙等の所定の用紙に、一取引の取引内容をレシートに印字するプリンタである。非接触充電器３０ｂは、周辺機器２０ｂに対して非接触により電力を送電する。そして、周辺機器２０ｂは、非接触充電器３０ｂから非接触により供給された電力を受電する。そして、周辺機器２０ｂは、受電した電力を充電する。
【００１１】
周辺機器２０ｃは、オペレータが操作入力を行うための各種の操作キーを有するキーボードである。非接触充電器３０ｃは、周辺機器２０ｃに対して非接触により電力を送電する。そして、周辺機器２０ｃは、非接触充電器３０ｃから非接触により供給された電力を受電する。そして、周辺機器２０ｃは、受電した電力を充電する。
【００１２】
以下、周辺機器２０ａと、周辺機器２０ｂと、周辺機器２０ｃとを区別しない場合には、周辺機器２０と説明する。非接触充電器３０ａと、非接触充電器３０ｂと、非接触充電器３０ｃとを区別しない場合には、非接触充電器３０と説明する。また、周辺機器２０は、上述の機器に限らない。ＰＯＳシステム１は、上述以外の機器を備えていてもよい。また、ＰＯＳシステム１は、周辺機器２０及び非接触充電器３０を一台以上備えていればよい。また、周辺機器２０は、非接触充電器３０を複数台で共有してもよい。
【００１３】
次に、上記した各装置のハードウェア構成について説明する。
【００１４】
まず、ＰＯＳ端末１０について説明する。図２は、ＰＯＳ端末１０のハードウェア構成の一例を示すブロック図である。図２に示すように、ＰＯＳ端末１０は、ＣＰＵ（Central  Processing  Unit）１１と、ＲＯＭ（Read  Only  Memory）１２と、ＲＡＭ（Random  Access  Memory）１３と、ＲＴＣ（Real  Time  Clock）１４とを備える。ＣＰＵ１１は、各種演算やＰＯＳ端末１０の各部を統括的に制御する。ＲＯＭ１２は、各種プログラムやデータを記憶する。ＲＡＭ１３は、各種プログラムを一時的に記憶するとともに、各種データを書き換え自在に記憶する。ＲＴＣ１４は、現在の日時を計時する。
【００１５】
また、ＣＰＵ１１は、バス１８を介して、記憶部１５、通信インタフェース１６、及び表示部１７と接続している。
【００１６】
記憶部１５は、例えば、ＨＤＤ（Hard  Disk  Drive）やＳＳＤ（Solid  State  Drive）等の補助記憶装置である。記憶部１５は、ＣＰＵ１１が実行する各種プログラムを記憶する。具体的には、記憶部１５は、例えば、報知プログラムＰＲ１を記憶する。報知プログラムＰＲ１は、周辺機器２０の充電状態を報知するプログラムである。
【００１７】
通信インタフェース１６は、周辺機器２０と無線で接続可能なインタフェースである。具体的には、通信インタフェース１６は、例えば、Ｂｌｕｅｔｏｏｔｈ（登録商標）等の規格により通信する。なお、通信インタフェース１６は、Ｂｌｕｅｔｏｏｔｈ（登録商標）以外の規格を採用してもよい。例えば、通信インタフェース１６は、Ｗｉｒｅｌｅｓｓ  Ｆｉｄｅｌｉｔｙ（登録商標）等の規格により通信してもよい。
【００１８】
表示部１７は、例えば、液晶ディスプレイ等である。そして、表示部１７は、売上登録された商品の品名、価格、決済が宣言された一取引の合計金額、釣銭額等の各種情報を表示する。また、表示部１７は、タッチパネルを備えてもよい。
【００１９】
次に、周辺機器２０について説明する。図３は、周辺機器２０のハードウェア構成の一例を示すブロック図である。図３に示すように、周辺機器２０は、ＣＰＵ２１と、ＲＯＭ２２と、ＲＡＭ２３と、ＲＴＣ２４とを備える。ＣＰＵ２１は、各種演算や周辺機器２０の各部を統括的に制御する。ＲＯＭ２２は、周辺機器２０を制御するファームウェアなどの各種プログラムやデータを記憶する。具体的には、ＲＯＭ２２は、例えば、充電監視プログラムＰＲ２を記憶する。充電監視プログラムＰＲ２は、周辺機器２０の充電状態を監視するプログラムである。ＲＡＭ２３は、各種プログラムを一時的に記憶するとともに、各種データを書き換え自在に記憶する。ＲＴＣ２４は、現在の日時を計時する。
【００２０】
ＣＰＵ２１は、バス２８を介して、通信インタフェース２５と、二次電池２６と、非接触受電部２７と接続している。
【００２１】
通信インタフェース２５は、ＰＯＳ端末１０と無線で接続可能なインタフェースである。具体的には、通信インタフェース２５は、例えば、Ｂｌｕｅｔｏｏｔｈ（登録商標）等の規格により通信する。なお、通信インタフェース２５は、Ｂｌｕｅｔｏｏｔｈ（登録商標）以外の規格を採用してもよい。例えば、通信インタフェース２５は、Ｗｉｒｅｌｅｓｓ  Ｆｉｄｅｌｉｔｙ（登録商標）等の規格により通信してもよい。但し、通信インタフェース２５は、ＰＯＳ端末１０の通信インタフェース１６と同一の規格を採用するものとする。
【００２２】
二次電池２６は、充電により電気を蓄えることが可能な電池である。二次電池２６は、周辺機器２０の各部が使用する電力を供給する。二次電池２６は、例えば、リチウムイオン電池などである。なお、二次電池２６は、リチウムイオン電池以外の種類であってもよい。
【００２３】
受電部である非接触受電部２７は、非接触充電器３０から非接触により送電された電力を受電する。また、非接触受電部２７は、受電した電力を整流する。そして、非接触受電部２７は、整流した電力を二次電池２６に充電する。非接触給電の方式は、公知技術を用いるものとする。非接触給電の方式は、電磁誘導方式であってもよいし、磁界共鳴方式であってもよいし、これ以外の方式であってもよい。
【００２４】
ここで、電磁誘導方式とは、電磁誘導を利用して非接触により電力を供給する方式である。電磁誘導方式では、電力を供給する送電側と、電力を供給される受電側とにそれぞれコイルを備える。そして、電磁誘導方式では、送電側のコイルと受電側のコイルとを、隣接した位置に向い合うように配置する。送電側のコイルは、電流が供給されるとコイルの内側に磁束を発生させる。受電側のコイルは、送電側のコイルと隣接した位置に向い合うように配置されているため、受電側のコイルの内側にも磁束が及び、誘導電流を生じさせる。従って、送電側のコイルは、受電側のコイルに非接触で電力が供給することができる。なお、電磁誘導方式は、送電側のコイルの磁束を用いて、受電側のコイルに誘導電流を生じさせているため、送電側と受電側のコイルの位置のずれにより給電効率が低下する場合がある。
【００２５】
また、非接触受電部２７は、受電電力検出回路２７１を備える。受電電力検出回路２７１は、非接触充電器３０から非接触により送電された電力の受電状態を検出する回路である。具体的には、受電電力検出回路２７１は、非接触充電器３０から非接触により受電した単位時間当たりの電力量を検出する。
【００２６】
受電電力検出回路２７１は、検出した単位時間当たりの受電電力量から非接触給電の状態を判定する。受電電力検出回路２７１は、検出した受電電力量が第１の閾値より高い場合に、非接触給電の状態は良好であると判定する。受電電力検出回路２７１は、検出した受電電力量が第１の閾値より低く、第２の閾値より高い場合に、非接触給電の状態は不良であると判定する。受電電力検出回路２７１は、検出した受電電力量が第２の閾値より低い場合に、非接触給電の状態は不可であると判定する。
【００２７】
次に、非接触充電器３０について説明する。図４は、非接触充電器３０のハードウェア構成の一例を示すブロック図である。図４に示すように、非接触充電器３０は、配線３３を介して、電源部３１と、非接触送電部３２とを接続している。
【００２８】
電源部３１は、電源ケーブル（不図示）を介して電力の供給を受ける。また、電源部３１は、供給された電力を整流する。そして、電源部３１は、整流した電力を非接触送電部３２に供給する。
【００２９】
非接触送電部３２は、電源部３１から供給された電力を非接触により周辺機器２０に送電する。なお、非接触給電の方式は、周辺機器２０と同一の方式を用いるものとする。
【００３０】
ここで、非接触充電器３０は、周辺機器２０が適切な位置に配置された場合に、非接触送電部３２を介して、周辺機器２０の非接触受電部２７に電力を送電する。図５は、周辺機器２０の適切な位置への配置の一例を示す説明図である。図６は、周辺機器２０の不適切な位置への配置の一例を示す説明図である。図５及び図６に示す非接触充電器３０は、上面に同心円３０１が描かれている。図５に示すように、周辺機器２０は、同心円３０１の中心に置かれた場合に、非接触送電部３２から送電された電力を受電することができる。ところが、図６に示すように、送電する電力は、同心円３０１の中心から離れた位置に周辺機器２０が配置されると、距離に応じて減衰してしまう。そのため、周辺機器２０の非接触受電部２７は、非接触充電器３０の非接触送電部３２から送電された電力の全部又は一部を受電することができない。よって、周辺機器２０は、非接触充電器３０の適切な位置に配置されることが重要となる。ここで、適切な位置とは、非接触充電器３０が発生させた磁束により非接触受電部２７が誘導電流を生じさせる位置である。すなわち、適切な位置とは、周辺機器２０の非接触受電部２７が同心円３０１の中心と隣接する位置である。
【００３１】
次に、ＰＯＳシステム１の機能構成について説明する。図７は、ＰＯＳシステム１の機能構成を示す図である。
【００３２】
まず、ＰＯＳ端末１０の機能構成について説明する。図７に示すように、ＰＯＳ端末１０は、機能部として、売上登録部１１１と、システム制御部１１２と、通信制御部１１３と、報知部１１４と、電源制御部１１５とを備える。具体的には、ＰＯＳ端末１０のＣＰＵ１１が、記憶部１５に記憶された報知プログラムＰＲ１を実行することにより、各機能部がＲＡＭ１３上に生成される。
【００３３】
売上登録部１１１は、一取引に係る販売対象の商品の売上登録処理を実行する。具体的には、売上登録部１１１は、コードスキャナである周辺機器２０ａや、キーボードである周辺機器２０ｂを介して入力された商品コードや、価格や、販売個数に基づいて、売上マスタファイル等に記録して売上登録を行う。そして、売上登録部１１１は、プリンタである周辺機器２０ｂに売上登録内容を印字させる。
【００３４】
システム制御部１１２は、ＰＯＳシステム１に係る非接触給電システムを制御する。すなわち、システム制御部１１２は、周辺機器２０の非接触給電の状態を監視するために監視要求情報と、監視停止情報とを生成する。ここで、監視要求情報とは、非接触給電による単位時間当たりの受電電力量の監視を要求する情報である。監視停止情報とは、非接触給電による単位時間当たりの受電電力量の監視の停止を要求する情報である。ＰＯＳ端末１０は、売上登録処理が終了すると、周辺機器２０を使用しない状態となる。そこで、通信制御部１１３は、売上登録処理が終了した場合に、監視要求情報を周辺機器２０に出力する。
【００３５】
例えば、コードスキャナである周辺機器２０ａは、売上登録処理中は商品に付された商品コードの読み取りに使用される。そのため、コードスキャナである周辺機器２０ａは、売上登録処理中は非接触充電器３０から送電された電力を受電することができない。従って、ＰＯＳ端末１０は、売上登録処理中は非接触給電の監視を停止しないと誤報を発してしまう。そこで、通信制御部１１３は、誤報を防止するために、売上登録処理が終了した場合に、監視要求情報を周辺機器２０に出力する。そして、通信制御部１１３は、売上登録処理が開始された場合に、監視停止情報を周辺機器２０に出力する。
【００３６】
通信制御手段である通信制御部１１３は、通信インタフェース１６を介して、自装置と無線接続された周辺機器２０との通信を制御する。通信制御部１１３は、通信インタフェース１６がＢｌｕｅｔｏｏｔｈ（登録商標）等の規格により通信する場合には、ペアリングされた周辺機器２０との通信を制御する。ここで、ペアリングとは、近くにいる無関係な機器と通信しないように、通信する周辺機器２０とＰＯＳ端末１０とを対応付ける処理である。
【００３７】
そして、通信制御部１１３は、監視要求情報や、監視停止情報を、ＰＯＳシステム１が有する１または複数の周辺機器２０に送信する。すなわち、通信制御部１１３は、周辺機器２０ａと、周辺機器２０ｂと、周辺機器２０ｃとに監視要求情報や、監視停止情報を出力する。
【００３８】
また、通信制御部１１３は、充電状態情報を周辺機器２０から受信する。すなわち、入力手段である通信制御部１１３は、周辺機器２０から出力された充電状態情報の入力を受け付ける。ここで、充電状態情報とは、充電状態情報を出力した周辺機器２０の非接触給電の状態を示す情報である。充電状態情報は、非接触給電状態と、充電残量と、周辺機器コードとを有する。非接触給電状態は、周辺機器２０と非接触充電器３０との非接触給電における単位時間当たりの受電電力量を示す情報である。充電残量は、周辺機器２０の二次電池２６に充電された電力の残量を示す情報である。周辺機器コードは、充電状態情報を出力した周辺機器２０を識別可能な識別情報である。
【００３９】
報知部１１４は、周辺機器２０の非接触給電の状態を報知する。すなわち、報知手段である報知部１１４は、通信制御部１１３が充電状態情報の入力を受け付けた場合に、周辺機器２０の非接触給電状態を報知する。具体的には、報知部１１４は、充電状態情報の入力を受け付けた場合に、報知画面を生成する。そして、報知部１１４は、報知画面を表示部１７に表示する。
【００４０】
ここで、図８は、報知画面Ｇ１の一例を示す説明図である。報知画面Ｇ１は、非接触給電により周辺機器２０が受電した電力が閾値より低いことを報知する画面である。図８に示す報知画面Ｇ１は、非接触給電状態が不可、充電量が６０％、周辺機器コードがコードスキャナを示す充電状態情報の入力を受け付けた場合の例である。図８に示す報知画面Ｇ１は、「充電ができていない可能性があります」とのメッセージを表示して報知する。また、報知画面Ｇ１は、修正依頼画面Ｇ１１を有する。修正依頼画面Ｇ１１は、周辺機器２０の配置場所の修正を依頼する画面である。また、図８に示す修正依頼画面Ｇ１１は、「まる印の中央に移動して下さい」とのメッセージと、画像とを表示している。
【００４１】
また、報知部１１４は、非接触給電状態が示す単位時間当たりの受電電力量に応じて報知態様を変えてもよい。例えば、報知部１１４は、非接触給電状態が不可と不良とに応じて、報知画面Ｇ１に表示するメッセージや画像を変える。または、報知部１１４は、非接触給電状態が不可の場合には、表示部１７の全画面に報知画面Ｇ１を表示させる。そして、報知部１１４は、非接触給電状態が不良の場合には、表示部１７の一部に非接触給電状態が不良であることを示すマークや、アイコンや、文字等を表示させるなどの態様でもよい。
【００４２】
また、報知部１１４は、非接触給電状態が示す単位時間当たりの受電電力量に関わらず、非接触給電状態を報知してもよい。具体的には、報知部１１４は、充電状態情報が入力された場合に、表示部１７の全部または一部に報知画面Ｇ１を表示させる。または、報知部１１４は、充電状態情報が有する内容を示したマークや、アイコンや、文字等を表示部１７の一部に持続的に表示させてもよい。これにより、オペレータは、周辺機器２０を適切な位置に配置していることを確認することができる。
【００４３】
電源制御部１１５は、ＰＯＳ端末１０のシャットダウン処理を制御する。電源制御部１１５は、シャットダウン処理を要求する操作が入力された場合に、ＰＯＳ端末１０をシャットダウン処理により停止する。
【００４４】
次に、周辺機器２０の機能構成について説明する。図７に示すように、周辺機器２０は、機能部として、非接触受電制御部２１１と、充電監視部２１２と、通信制御部２１３と、電源制御部２１４とを備える。具体的には、周辺機器２０のＣＰＵ２１が、ＲＯＭ２２に記憶された充電監視プログラムＰＲ２を実行することにより、各機能部がＲＡＭ２３上に生成される。
【００４５】
非接触受電制御部２１１は、周辺機器２０の非接触給電を制御する。非接触受電制御部２１１は、非接触受電部２７を介して、周辺機器２０から送電された電力を受電する。そして、非接触受電制御部２１１は、受電した電力を二次電池２６に充電する。
【００４６】
監視手段である充電監視部２１２は、非接触受電部２７を介して非接触充電器３０から受電した電力を監視する。そして、充電監視部２１２は、充電状態情報を生成する。
【００４７】
充電監視部２１２は、ＰＯＳ端末１０から出力された監視要求情報の入力を受け付けた場合に、非接触で受電した電力量を監視する。そして、充電監視部２１２は、ＰＯＳ端末１０から出力された監視停止情報の入力を受け付けた場合に、非接触で受電した電力の監視を停止する。これにより、充電監視部２１２は、自装置が使用されており、非接触給電することができない状態であるにも関わらず報知してしまう誤報を防止する。
【００４８】
また、オペレータは、売上登録処理の終了後であったとしても、周辺機器２０を一時的に非接触充電器３０から退かした場合や、売上登録処理の完了直後など意図的に周辺機器２０を非接触充電器３０に配置しない場合がある。このような場合であっても、非接触給電が不良又は不可であるとして直ちに報知されると、オペレータは、煩雑な報知に対応しなければならなくなる。そこで、充電監視部２１２は、設定時間が経過するまでに非接触給電の不良又は不可が解消されない場合に、充電状態情報を生成する。
【００４９】
具体的には、充電監視部２１２は、監視要求情報の入力を受け付けると、タイマーに初期値を設定する。そして、充電監視部２１２は、タイマーの計時を開始する。充電監視部２１２は、非接触給電の状態が良好の場合に、再度タイマーに初期値を設定する。一方、充電監視部２１２は、非接触給電の状態が不良又は不可の場合に、タイマーの計時を維持する。そして、充電監視部２１２は、タイマー値が設定時間となった場合に、充電状態情報を生成する。
【００５０】
その際、充電監視部２１２は、二次電池２６に充電されている電力の充電残量を計測する。そして、充電監視部２１２は、非接触給電状態と、充電残量と、自装置を示す周辺機器コードとを有する充電状態情報を生成する。
【００５１】
通信制御部２１３は、通信インタフェース２５を介した、ＰＯＳ端末１０との通信を制御する。具体的には、通信制御部１１３は、充電監視情報をＰＯＳ端末１０に送信する。すなわち、出力手段である通信制御部１１３は、受電した電力量が第１の閾値より低い場合に、充電監視部２１２が生成した充電状態情報を出力する。また、通信制御部１１３は、監視要求情報や、監視停止情報を、ＰＯＳ端末１０から受信する。すなわち、入力手段である通信制御部１１３は、非接触給電の監視を要求する監視要求情報の入力を受け付ける。
【００５２】
電源制御部２１４は、周辺機器２０のシャットダウン処理を制御する。電源制御部２１４は、シャットダウン処理を要求する操作が入力された場合に、周辺機器２０をシャットダウン処理により停止する。
【００５３】
次に、上述した実施形態にかかるＰＯＳ端末１０のＣＰＵ１１が報知プログラムＰＲ１に従って実行する報知処理について説明する。報知処理とは、周辺機器２０の充電状態を報知する処理である。
【００５４】
図９は、ＰＯＳ端末１０のＣＰＵ１１が報知プログラムＰＲ１に従って実行する報知処理の流れを示すフローチャートである。
【００５５】
まず、ＰＯＳ端末１０の売上登録部１１１は、一取引に係る売上登録処理を終了したか否かを判定する（ステップＳ１１）。売上登録処理を終了していない場合に（ステップＳ１１；Ｎｏ）、ＰＯＳ端末１０の売上登録部１１１は、報知処理を待機する。
【００５６】
一方、売上登録処理を終了した場合に（ステップＳ１１；Ｙｅｓ）、ＰＯＳ端末１０のシステム制御部１１２は、監視要求情報を生成する（ステップＳ１２）。次いで、ＰＯＳ端末１０の通信制御部１１３は、監視要求情報を周辺機器２０に出力する（ステップＳ１３）。
【００５７】
次いで、ＰＯＳ端末１０の通信制御部１１３は、充電状態情報の入力を受け付けるか否かを判定する（ステップＳ１４）。充電状態情報の入力を受け付けた場合に（ステップＳ１４；Ｙｅｓ）、ＰＯＳ端末１０の報知部１１４は、報知画面Ｇ１を表示させる（ステップＳ１５）。そして、ＰＯＳ端末１０のＣＰＵ１１は、ステップＳ１４に移行する。
【００５８】
一方、充電状態情報の入力を受け付けていない場合に（ステップＳ１４；Ｎｏ）、ＰＯＳ端末１０の売上登録部１１１は、売上登録処理が開始されるか否かを判定する（ステップＳ１６）。
【００５９】
売上登録処置が開始された場合に（ステップＳ１６；Ｙｅｓ）、ＰＯＳ端末１０のシステム制御部１１２は、監視停止情報を生成する（ステップＳ１７）。ＰＯＳ端末１０の通信制御部１１３は、監視停止情報を周辺機器２０に出力する（ステップＳ１８）。そして、ＰＯＳ端末１０のＣＰＵ１１は、ステップＳ１１に移行する。
【００６０】
一方、売上登録処置が開始されない場合に（ステップＳ１６；Ｎｏ）、ＰＯＳ端末１０の電源制御部１１５は、ＰＯＳ端末１０がシャットダウンされるか否かを判定する（ステップＳ１９）。ＰＯＳ端末１０がシャットダウンされない場合に（ステップＳ１９；Ｎｏ）、ＰＯＳ端末１０のＣＰＵ１１は、ステップＳ１４に移行する。
【００６１】
一方、ＰＯＳ端末１０がシャットダウンされた場合に（ステップＳ１９；Ｙｅｓ）、ＰＯＳ端末１０のＣＰＵ１１は、報知処理を終了する。
【００６２】
次に、上述した実施形態にかかる周辺機器２０のＣＰＵ２１が充電監視プログラムＰＲ２に従って実行する充電監視処理について説明する。充電監視処理とは、周辺機器２０の充電状態を監視する処理である。
【００６３】
図１０は、周辺機器２０のＣＰＵ２１が充電監視プログラムＰＲ２に従って実行する充電監視処理の流れを示すフローチャートである。
【００６４】
まず、周辺機器２０の通信制御部２１３は、監視要求情報の入力を受け付けるか否かを判定する（ステップＳ２１）。監視要求情報の入力を受け付けていない場合に（ステップＳ２１；Ｎｏ）、周辺機器２０のＣＰＵ２１は、充電監視処理を待機する。
【００６５】
一方、監視要求情報の入力を受け付けた場合に（ステップＳ２１；Ｙｅｓ）、周辺機器２０の充電監視部２１２は、タイマーに初期値を設定する（ステップＳ２２）。次いで、周辺機器２０の充電監視部２１２は、非接触給電状態が良好であるか否かを判定する（ステップＳ２３）。
【００６６】
非接触給電状態が良好でない場合に（ステップＳ２３；Ｎｏ）、周辺機器２０の充電監視部２１２は、設定時間が経過したか否かを判定する（ステップＳ２４）。設定時間が経過していない場合に（ステップＳ２４；Ｎｏ）、周辺機器２０のＣＰＵ２１は、ステップＳ２３に移行する。
【００６７】
一方、設定時間が経過した場合に（ステップＳ２４；Ｙｅｓ）、周辺機器２０の充電監視部２１２は、二次電池２６に充電されている電力の充電残量を計測する（ステップＳ２５）。次いで、周辺機器２０の充電監視部２１２は、非接触給電の状態と、充電残量と、自装置を示す周辺機器コードとを有する充電状態情報を生成する（ステップＳ２６）。
【００６８】
次いで、周辺機器２０の通信制御部２１３は、充電状態情報をＰＯＳ端末１０に出力する（ステップＳ２７）。そして、周辺機器２０のＣＰＵ２１は、ステップＳ２８に移行する。
【００６９】
非接触給電状態が良好である場合に（ステップＳ２３；Ｙｅｓ）、周辺機器２０の通信制御部２１３は、監視停止情報の入力を受け付けるか否かを判定する（ステップＳ２８）。監視停止情報の入力を受け付けない場合に（ステップＳ２８；Ｎｏ）、周辺機器２０のＣＰＵ２１は、ステップＳ２２に移行する。
【００７０】
一方、監視停止情報の入力を受け付けた場合に（ステップＳ２８；Ｙｅｓ）、周辺機器２０の電源制御部２１４は、周辺機器２０がシャットダウンされるか否かを判定する（ステップＳ２９）。周辺機器２０がシャットダウンされない場合に（ステップＳ２９；Ｎｏ）、周辺機器２０のＣＰＵ２１は、ステップＳ２１に移行する。
【００７１】
一方、周辺機器２０がシャットダウンされた場合に（ステップＳ２９；Ｙｅｓ）、周辺機器２０のＣＰＵ２１は、充電監視処理を終了する。
【００７２】
以上のように、本実施形態のＰＯＳシステム１によれば、ＰＯＳ端末１０は、自装置と対応付けられた周辺機器２０から周辺機器２０の非接触給電の状態を示す充電状態情報を受信する。そして、ＰＯＳ端末１０は、充電状態情報を受信した場合に、周辺機器２０の非接触給電情報を報知する。よって、ＰＯＳ端末１０は、周辺機器２０の非接触給電に係る状態を報知することができる。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７４】
また、上記実施形態では、ＰＯＳ端末１０の報知部１１４は、報知画面Ｇ１を表示部１７に表示することにより報知すると説明している。しかしながら、報知部１１４は、報知画面Ｇ１の表示以外の方法により報知してもよい。例えば、報知部１１４は、非接触給電状態が不良又は不可であること通知する音声等により報知してもよい。
【００７５】
また、上記実施形態では、充電状態情報に係る非接触給電状態は、受電電力検出回路２７１が判定すると説明している。しかしながら、充電状態情報に係る非接触給電状態は、周辺機器２０のＣＰＵ２１が判定してもよい。この場合には、受電電力検出回路２７１は、単位時間当たりの受電電力量をＣＰＵ２１に通知する。そして、ＣＰＵ２１は、通知された受電電力量に基づいて、非接触給電状態について判定すればよい。そして、ＣＰＵ２１が判定する場合にはソフトウェアを用いるため、非接触給電状態に係る閾値は、任意の値を設定することが可能となる。
【００７６】
上記実施形態や変形例の各装置で実行されるプログラムは、各装置が備える記憶媒体（ＲＯＭ又は記憶部）に予め組み込んで提供するものとするが、これに限らないものとする。例えば、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００７７】
また、上記実施形態や変形例の各装置で実行されるプログラムをインターネット等のネットワークに接続されたコンピュータ上に格納し、ネットワーク経由でダウンロードさせることにより提供するように構成してもよいし、インターネット等のネットワーク経由で提供又は配布するように構成してもよい。
【符号の説明】
【００７８】
１  ＰＯＳシステム
１０  ＰＯＳ端末
１１１  売上登録部
１１２  システム制御部
１１３  通信制御部
１１４  報知部
１１５  電源制御部
２０  周辺機器
２１１  非接触受電制御部
２１２  充電監視部
２１３  通信制御部
２１４  電源制御部
３０  非接触充電器
【先行技術文献】
【特許文献】
【００７９】
【特許文献１】特開２０１０−２０６８６６号公報
【図１】
2018029476.tif 000003
【図２】
2018029476.tif 000004
【図３】
2018029476.tif 000005
【図４】
2018029476.tif 000006
【図５】
2018029476.tif 000007
【図６】
2018029476.tif 000008
【図７】
2018029476.tif 000009
【図８】
2018029476.tif 000010
【図９】
2018029476.tif 000011
【図１０】
2018029476.tif 000012
【手続補正書】
【提出日】平成29年11月14日(2017.11.14)
【手続補正２】
【補正対象書類名】明細書
【補正対象項目名】０００１
【補正方法】変更
【補正の内容】
【０００１】
本発明の実施形態は、情報処理装置に関する。
【手続補正３】
【補正対象書類名】明細書
【補正対象項目名】０００４
【補正方法】変更
【補正の内容】
【０００４】
本発明が解決しようとする課題は、周辺機器の非接触給電に係る状態を報知することができる情報処理装置を提供することである。
【手続補正４】
【補正対象書類名】明細書
【補正対象項目名】０００５
【補正方法】変更
【補正の内容】
【０００５】
実施形態の情報処理装置は、売上登録手段と、通信制御手段と、入力手段と、報知手段と、を備える。前記売上登録手段は、販売対象の商品を登録する売上登録処理を実行する。前記通信制御手段は、前記売上登録手段が売上登録処理を終了した場合に、自装置と対応付けられた周辺機器に、機械的な接続のない非接触による非接触給電の監視を要求する監視要求情報を送信する。前記入力手段は、前記周辺機器から出力された当該周辺機器の前記非接触給電の状態を示す充電状態情報の入力を受け付ける。前記報知手段は、前記入力手段が前記充電状態情報の入力を受け付けた場合に、前記周辺機器の前記非接触給電の状態を報知する。
【手続補正５】
【補正対象書類名】特許請求の範囲
【補正対象項目名】全文
【補正方法】変更
【補正の内容】
【特許請求の範囲】
【請求項１】
販売対象の商品を登録する売上登録処理を実行する売上登録手段と、
前記売上登録手段が売上登録処理を終了した場合に、自装置と対応付けられた周辺機器に、機械的な接続のない非接触による非接触給電の監視を要求する監視要求情報を送信する通信制御手段と、
前記周辺機器から出力された当該周辺機器の前記非接触給電の状態を示す充電状態情報の入力を受け付ける入力手段と、
前記入力手段が前記充電状態情報の入力を受け付けた場合に、前記周辺機器の前記非接触給電の状態を報知する報知手段と、
を備える情報処理装置。
【請求項２】
表示部を更に備え、
前記報知手段は、前記非接触給電により前記周辺機器が受電した電力が閾値より低いことを示す画面を前記表示部に表示することで報知する、
請求項１に記載の情報処理装置。
【請求項３】
前記通信制御手段は、前記売上登録手段が売上登録処理を開始した場合に、前記周辺機器の前記非接触給電の監視の停止を要求する監視停止情報を送信する、
請求項１または２に記載の情報処理装置。
【請求項４】
前記入力手段は、単位時間当たりの受電電力量を示す情報を有する前記充電状態情報の入力を受け付け、
前記報知手段は、前記受電電力量に応じて報知態様を変える、
請求項１乃至３の何れか１項に記載の情報処理装置。
【請求項５】
前記入力手段は、前記充電状態情報を出力する前記周辺機器を識別可能な識別情報を有する前記充電状態情報の入力を受け付け、
前記報知手段は、前記識別情報を報知する、
請求項１乃至４の何れか１項に記載の情報処理装置。